(57)【要約】【課題】伝送信号の形態を変更することなく機器の仕様の変更のみで時限時間の自由度を大幅に広げることを可能にした遠隔監視制御システムを提供する。【解決手段】伝送ユニット１は、スイッチＳＷを備える操作端末器２と負荷Ｌが接続される制御端末器３とに対して信号線Ｌｓを介して固定長の伝送信号を伝送する。操作端末器２は、スイッチＳＷの操作から時限して負荷Ｌを制御する際の負荷の動作態様および時限時間の組を動作データとして記憶する動作データ記憶部２１と、スイッチＳＷの操作時に動作データ記憶部２１の内容を伝送ユニット１に転送する動作データ転送部２２とを有する。伝送ユニット１は、同じ操作端末器２に２回の伝送信号を伝送するとともに、１回目の伝送信号で操作端末器２からの要求を受け付け、２回目の伝送信号で操作端末器２から動作データを取得し、取得した動作データを用いて負荷Ｌを制御する。【選択図】図１
2008109518.tif 000002
【特許請求の範囲】
【請求項１】
スイッチを備える複数台の操作端末器と、負荷が接続される複数台の制御端末器と、操作端末器および制御端末器とともに信号線に接続された伝送ユニットとを備え、操作端末器では複数回路のスイッチを設けることが可能であって制御端末器では複数回路の負荷を接続可能であり、伝送ユニットが操作端末器および制御端末器とに対して時分割多重伝送方式により固定長の伝送信号を伝送することにより操作端末器および制御端末器との間で情報を授受し、伝送ユニットにおいてスイッチと負荷との識別情報を互いに対応付けた対応データ記憶部を用いることによりスイッチの操作に応じて負荷を制御する遠隔監視制御システムであって、操作端末器は、スイッチの操作から時限して負荷を制御する際の負荷の動作態様および時限時間の組を動作データとして記憶する動作データ記憶部と、スイッチの操作時に動作データ記憶部の内容を伝送ユニットに転送する動作データ転送部とを有し、伝送ユニットは、操作端末器からの要求を受け付ける伝送信号により操作端末器からスイッチの識別情報とともに動作データを通知する要求を受け取ると、伝送信号を再度伝送することにより操作端末器から動作データを取得する動作データ取得部と、取得した動作データに含まれる時限時間および動作態様に従う内容の伝送信号を生成する信号生成部とを備えることを特徴とする遠隔監視制御システム。
【請求項２】
前記操作端末器は、別に設けた端末機能設定器から送信されたワイヤレス信号を受信しワイヤレス信号に含まれる動作データを前記動作データ記憶部に書き込ませるワイヤレス受信部を備え、端末機能設定器は、時限時間を入力する数字キーおよび動作態様を指定する動作選択キーを操作部として備えることを特徴とする請求項１記載の遠隔監視制御システム。
【請求項３】
スイッチを備える複数台の操作端末器と、負荷が接続される複数台の制御端末器と、操作端末器および制御端末器とともに信号線に接続された伝送ユニットとを備え、操作端末器では複数回路のスイッチを設けることが可能であって制御端末器では複数回路の負荷を接続可能であり、伝送ユニットが操作端末器および制御端末器とに対して時分割多重伝送方式により固定長の伝送信号を伝送することにより操作端末器および制御端末器との間で情報を授受し、伝送ユニットにおいてスイッチと負荷との識別情報を互いに対応付けた対応データ記憶部を用いることによりスイッチの操作に応じて負荷を制御する遠隔監視制御システムであって、操作端末器は、スイッチの操作から時限して負荷を制御する際の負荷の動作態様および時限時間の組を規定の動作コードに対応付けスイッチの操作時に動作コードを伝送ユニットに転送する動作コード転送部を有し、伝送ユニットは、伝送信号により操作端末器から取得する動作コードを動作態様および時限時間の組と対応付けるタイマデータ記憶部と、タイマデータ記憶部に動作コードを照合して求めた動作態様および時限時間に従う内容の伝送信号を生成する信号生成部とを有し、タイマデータ記憶部において動作コードに対応付けた動作態様および時限時間の組は書換可能であることを特徴とする遠隔監視制御システム。
【請求項４】
前記信号線に接続され前記伝送ユニットと通信可能なシステム機能設定器が付加され、システム機能設定器は、動作態様および時限時間の組を規定の動作コードに対応付けて入力する操作部を備え、操作部により入力された動作態様および時限時間の組を動作コードと対応付けて伝送ユニットに転送し、前記タイマデータ記憶部に書き込ませることを特徴とする請求項３記載の遠隔監視制御システム。
【請求項５】
前記対応データ記憶部は、スイッチの識別情報と負荷の識別情報とを一対多に対応付けるとともに１個のスイッチに対応付けた複数の負荷について各負荷ごとに動作態様および時限時間の組が設定可能である領域を有し、前記信号生成部は、対応データ記憶部において動作態様および時限時間の組が設定された負荷ごとに動作態様および時限時間に従う内容の伝送信号を生成することを特徴とする請求項１ないし請求項４のいずれか１項に記載の遠隔監視制御システム。
【発明の詳細な説明】
【技術分野】
【０００１】
本発明は、時分割多重伝送方式により伝送信号を信号線に伝送し、この伝送信号を用いてスイッチと負荷とを対応付ける遠隔監視制御システムに関するものである。
【背景技術】
【０００２】
従来から、図８に示す構成の遠隔監視制御システムが知られている（たとえば、特許文献１参照）。この遠隔監視制御システムでは、伝送ユニット１に接続された２線式の信号線Ｌｓに複数台ずつの操作端末器２および制御端末器３が接続される。操作端末器２および制御端末器３には、それぞれ個別のアドレスが設定され、伝送ユニット１はアドレスを用いて操作端末器２および制御端末器３を個別に認識する。
【０００３】
また、各操作端末器２には最大で４個のスイッチＳＷが設けられ、各制御端末器３では最大で４個の負荷Ｌが接続可能になっている。各操作端末器２に設けたスイッチＳＷは負荷番号により個別に識別され、また各制御端末器３に接続された負荷Ｌは負荷番号により個別に識別される。したがって、スイッチＳＷと負荷Ｌとはそれぞれアドレスおよび負荷番号の組を識別情報として個別に識別される。スイッチＳＷには押圧中にのみオンになるモメンタリ型の小型押釦スイッチ（タクトスイッチ）を用いており、操作端末器２ではスイッチＳＷが押圧された瞬間のみの情報を用いる。
【０００４】
伝送ユニット１は信号線Ｌｓに対して、図９に示すフォーマットの固定長の伝送信号Ｖｓを送出する。伝送信号Ｖｓは、図９（ａ）のようにパルス幅変調された双極性（±２４Ｖ）の時分割多重信号であり、信号送出開始を示す同期信号ＳＹ、伝送信号Ｖｓのモードを示すモードデータＭＤ、操作端末器２や制御端末器３に個々にアクセスするのに用いるアドレスデータＡＤ、負荷Ｌを制御する制御データＣＤ、伝送誤りを検出するためのチェックサムデータＣＳ、操作端末器２や制御端末器３からの返送信号（監視データ）を受信するタイムスロットである信号返送期間ＷＴを含む。伝送信号Ｖｓにおいて信号返送期間ＷＴ以外には上述のように電圧モード信号を伝送しているが、信号返送期間ＷＴには電流モード信号（信号線Ｌｓを適当な低インピーダンスを介して短絡することにより送出される信号）を伝送する。
【０００５】
伝送ユニット１では、通常時は、モードデータＭＤをダミーモードとしアドレスデータＡＤを循環的に変化させた伝送信号Ｖｓを一定時間間隔で送出している（常時ポーリング）。操作端末器２においてスイッチＳＷの操作に伴う監視入力が発生すると、ダミーモードの伝送信号Ｖｓの同期信号ＳＹに同期させて図９（ｂ）のような割込信号Ｖｉを発生させるとともに割込フラグを設定する。
【０００６】
すなわち、図１０（ａ）に示すように、ダミーモードの伝送信号Ｖｓにおいて、操作端末器２からの割込信号Ｖｉを伝送ユニット１が検出すると（Ｐ１）、当該伝送信号ＶｓのモードデータＭＤをアドレス検索モードとする（Ｐ２）。割込フラグが設定されている操作端末器２では、アドレス検索モードの伝送信号Ｖｓを受信すると、この伝送信号Ｖｓの信号返送期間ＷＴにおいてアドレスを返送する（Ｐ３）。
【０００７】
伝送ユニット１では割込信号Ｖｉを発生させた操作端末器２のアドレスを取得するから、このアドレスをアドレスデータＡＤとし操作端末器２の要求を監視する伝送信号Ｖｓを信号線Ｌｓに送出する（Ｐ４）。この伝送信号Ｖｓの信号返送期間ＷＴにおいて操作端末器２から伝送ユニット１に要求を送る（Ｐ５）。つまり、Ｐ４の伝送信号Ｖｓは伝送ユニット１が操作端末器２からの要求を受け付けるのであり、この伝送信号Ｖｓの信号返送期間ＷＴにおいて操作端末器２が伝送ユニット１に対する要求を行う。その後、伝送信号Ｖｓを用いて伝送ユニット１と操作端末器２との間で相互に受信確認を行うことにより（Ｐ６，Ｐ７）、操作端末器２から要求する情報を伝送ユニット１に伝送することができる。
【０００８】
ところで、信号返送期間ＷＴには実際には８ビットが割り当てられ、Ｐ５において操作端末器２から伝送ユニット１への要求を行う際には、上位４ビットでスイッチＳＷを特定する負荷番号（つまり、識別情報）を表し、下位４ビットで要求の内容を表す。つまり、伝送ユニット１に対して１６種類の要求を行うことができる。要求内容としては、負荷Ｌのオンオフのほか、オンの指示から負荷Ｌを一定時間だけオンにする一時オンと、オフの指示から一定時間後に負荷をオフにする遅れオフと動作態様が指定可能であり、さらに、各動作態様について複数種類の時限時間を組み合わせて指定することが可能になっている。このように時限時間を決めた負荷Ｌの動作をタイマ動作と呼ぶ。
【０００９】
上述した１６種類の要求のうち、タイマ動作には８種類が割り当てられている。具体的には、一時オンの動作態様に対して３０秒、１分、５分、６０分、１２０分の５種類の時限時間が選択可能であり、遅れオフの動作態様に対して３０秒、１分、５分の３種類の時限時間が選択可能になっている。これらの８種類のタイマ動作には、それぞれ動作コードが対応付けられており、信号返送期間ＷＴの下位４ビットが、たとえば３ｈ（ｈは１６進数の意味）であるときには、３０秒の一時オンを意味している。したがって、負荷番号１に対応付けられたスイッチＳＷが３０秒の一時オンを指定するとすれば、信号返送期間ＷＴに１３ｈを伝送ユニット１に通知する。具体的には、図１０（ｂ）のように、信号返送期間ＷＴにおける上位４ビットを「０００１」、下位４ビットを「００１１」とする。
【００１０】
伝送ユニット１では、操作端末器２からタイマ動作の要求を受けると、伝送信号のアドレスデータＡＤおよび信号返送期間ＷＴに受け取った上位４ビットの負荷番号で指定されるスイッチＳＷの識別情報を、伝送ユニット１に内蔵した対応データ記憶部１１（図１参照）と照合し、スイッチＳＷに対応する負荷Ｌの識別情報を抽出する。対応データ記憶部１１に格納されるデータは、信号線Ｌｓに接続されるシステム機能設定器５により読み書き可能になっている。信号返送期間ＷＴの下位４ビットでは一時オンが指示されているから、当該負荷Ｌが接続されている制御端末器３を指定するアドレスデータＡＤを有し当該負荷Ｌの負荷番号についてオンを指示する伝送信号を伝送する（Ｐ８）。
【００１１】
伝送ユニット１が制御端末器３に対して負荷Ｌの制御を指示する際には、モードデータＭＤを制御モードとし、制御端末器３のアドレスをアドレスデータＡＤとする伝送信号Ｖｓを送出し、この伝送信号Ｖｓを信号線Ｌｓに送出する。負荷番号は制御データＣＤを用いて伝送される。すなわち、制御データＣＤは実際には８ビットであって、２ビットずつが１個の負荷番号に対応付けられ、２ビットのビット値により負荷Ｌのオンオフが示される。
【００１２】
制御端末器３では、信号線Ｌｓを介して受信した伝送信号Ｖｓにより伝送されたアドレスデータＡＤが制御端末器３に設定されているアドレスに一致すると、伝送信号Ｖｓから制御データＣＤを取り込み、制御データＣＤで指定された負荷番号の負荷Ｌを指定された制御状態（オンまたはオフ）に制御する。負荷Ｌが接続された制御端末器３からは信号返送期間ＷＴにおいて当該負荷Ｌをオンにした旨の通知がなされる（Ｐ９）。
【００１３】
操作端末器２からは３０秒の一時オンが要求されているから、伝送ユニット１では内蔵したタイマ１２により３０秒の時限動作を行った後、負荷Ｌが接続された制御端末器３を指定するアドレスデータＡＤを有し当該負荷Ｌの負荷番号についてオフを指示する伝送信号を伝送する（Ｐ１０）。この伝送信号を受け取った制御端末器３は信号返送期間ＷＴにおいて負荷Ｌをオフにした旨の通知を行う（Ｐ１１）。
【００１４】
上述したように、タイマ動作においては、操作端末器２から伝送ユニット１に対して、一時オンや遅れオフの動作態様と時限時間との組をコード化した動作コードを通知する。したがって、操作端末器２には、動作コードを記憶する機能と、動作コードを転送する機能とが必要である。また、伝送ユニット１には、動作コードを動作態様および時限時間の組と対応付けたタイマデータ記憶部１３と、操作端末器２から伝送された動作データをタイマデータ記憶部１３に照合して動作態様および時限時間の組を抽出する信号生成部１４が必要になる。
【００１５】
また、操作端末器２における負荷番号やタイマデータ記憶部の内容は、別に設けた端末機能設定器４からのワイヤレス信号により書換可能になっている。端末機能設定器４は、赤外線のような光を伝送媒体を用いたワイヤレス信号により操作端末器２と通信し、負荷番号やタイマデータ記憶部の内容を設定する。
【特許文献１】特開２０００−３５８２８７号公報
【発明の開示】
【発明が解決しようとする課題】
【００１６】
ところで、端末機能設定器４では、動作態様と時限時間との組が動作コードとして記憶され、伝送ユニット１に対して指示できる動作コードの種類は８種類に制限されているから、時限時間を自由に設定することができない。つまり、使用環境によっては時限時間を変更したほうがよい場合があるにもかかわらず、時限時間は規定範囲から選択することしかできないという問題を有している。
【００１７】
この問題を解決するには、伝送信号のビット長を大きくすることが考えられるが、従来商品に対して伝送信号の構成の変更を伴う大幅な仕様変更になるから、このような技術を採用することは困難である。
【００１８】
本発明は上記事由に鑑みて為されたものであり、その目的は、伝送信号の形態を変更することなく機器の仕様の変更のみで時限時間の自由度を大幅に広げることを可能にした遠隔監視制御システムを提供することにある。
【課題を解決するための手段】
【００１９】
請求項１の発明は、スイッチを備える複数台の操作端末器と、負荷が接続される複数台の制御端末器と、操作端末器および制御端末器とともに信号線に接続された伝送ユニットとを備え、操作端末器では複数回路のスイッチを設けることが可能であって制御端末器では複数回路の負荷を接続可能であり、伝送ユニットが操作端末器および制御端末器とに対して時分割多重伝送方式により固定長の伝送信号を伝送することにより操作端末器および制御端末器との間で情報を授受し、伝送ユニットにおいてスイッチと負荷との識別情報を互いに対応付けた対応データ記憶部を用いることによりスイッチの操作に応じて負荷を制御する遠隔監視制御システムであって、操作端末器は、スイッチの操作から時限して負荷を制御する際の負荷の動作態様および時限時間の組を動作データとして記憶する動作データ記憶部と、スイッチの操作時に動作データ記憶部の内容を伝送ユニットに転送する動作データ転送部とを有し、伝送ユニットは、操作端末器からの要求を受け付ける伝送信号により操作端末器からスイッチの識別情報とともに動作データを通知する要求を受け取ると、伝送信号を再度伝送することにより操作端末器から動作データを取得する動作データ取得部と、取得した動作データに含まれる時限時間および動作態様に従う内容の伝送信号を生成する信号生成部とを備えることを特徴とする。
【００２０】
請求項２の発明では、請求項１の発明において、前記操作端末器は、別に設けた端末機能設定器から送信されたワイヤレス信号を受信しワイヤレス信号に含まれる動作データを前記動作データ記憶部に書き込ませるワイヤレス受信部を備え、端末機能設定器は、時限時間を入力する数字キーおよび動作態様を指定する動作選択キーを操作部として備えることを特徴とする。
【００２１】
請求項３の発明は、スイッチを備える複数台の操作端末器と、負荷が接続される複数台の制御端末器と、操作端末器および制御端末器とともに信号線に接続された伝送ユニットとを備え、操作端末器では複数回路のスイッチを設けることが可能であって制御端末器では複数回路の負荷を接続可能であり、伝送ユニットが操作端末器および制御端末器とに対して時分割多重伝送方式により固定長の伝送信号を伝送することにより操作端末器および制御端末器との間で情報を授受し、伝送ユニットにおいてスイッチと負荷との識別情報を互いに対応付けた対応データ記憶部を用いることによりスイッチの操作に応じて負荷を制御する遠隔監視制御システムであって、操作端末器は、スイッチの操作から時限して負荷を制御する際の負荷の動作態様および時限時間の組を規定の動作コードに対応付けスイッチの操作時に動作コードを伝送ユニットに転送する動作コード転送部を有し、伝送ユニットは、伝送信号により操作端末器から取得する動作コードを動作態様および時限時間の組と対応付けるタイマデータ記憶部と、タイマデータ記憶部に動作コードを照合して求めた動作態様および時限時間に従う内容の伝送信号を生成する信号生成部とを有し、タイマデータ記憶部において動作コードに対応付けた動作態様および時限時間の組は書換可能であることを特徴とする。
【００２２】
請求項４の発明では、請求項３の発明において、前記信号線に接続され前記伝送ユニットと通信可能なシステム機能設定器が付加され、システム機能設定器は、動作態様および時限時間の組を規定の動作コードに対応付けて入力する操作部を備え、操作部により入力された動作態様および時限時間の組を動作コードと対応付けて伝送ユニットに転送し、前記タイマデータ記憶部に書き込ませることを特徴とする。
【００２３】
請求項５の発明では、請求項１ないし請求項４のいずれかの発明において、前記対応データ記憶部は、スイッチの識別情報と負荷の識別情報とを一対多に対応付けるとともに１個のスイッチに対応付けた複数の負荷について各負荷ごとに動作態様および時限時間の組が設定可能である領域を有し、前記信号生成部は、対応データ記憶部において動作態様および時限時間の組が設定された負荷ごとに動作態様および時限時間に従う内容の伝送信号を生成することを特徴とする。
【発明の効果】
【００２４】
請求項１の発明の発明の構成によれば、操作端末器からの要求を受け付ける伝送信号を伝送ユニットが伝送したときに操作端末器からは動作データを伝送するのではなく、動作データを通知する要求のみを行い、次の伝送信号において操作端末器から伝送ユニットに対して動作データを伝送するから、スイッチの識別情報と動作データとを１回の伝送信号で伝送するのではなく、２回の伝送信号に分けて伝送することになり、固定長であってビット数が限られている伝送信号を用いながらもビット長の長い動作データを伝送することが可能になる。つまり、スイッチの操作から時限して負荷を制御するタイマ制御において、スイッチの識別情報と動作データとを１回の伝送信号で伝送していた従来構成に比較すると、時限時間の調節範囲を広げることができる。
【００２５】
請求項２の発明の構成によれば、端末機能設定器からのワイヤレス信号により操作端末器の動作データを設定可能にしているから、端末機能設定器を用いることにより動作データの変更を容易に行うことができる。
【００２６】
請求項３の発明の構成によれば、伝送ユニットに設けたタイマデータ記憶部における動作態様および時限時間の組と動作コードとの対応関係を書換可能としていることにより、同じ動作コードを用いながらも動作態様および時限時間を任意に変更することが可能になる。つまり、設置環境に合わせて動作態様および時限時間の組を適宜に設定しておくことにより、利用者の希望する動作が可能になる。つまり、固定長の伝送信号を用いているから、１回の伝送信号で伝送可能な動作コードの種類に制限があるが、動作コードに対応付ける動作態様および時限時間の組を変更することにより、動作態様および時限時間の組を自由に設定することが可能になる。
【００２７】
請求項４の発明の構成によれば、伝送ユニットに設けたタイマデータ記憶部の内容を、信号線に接続したシステム機能設定器が書き込ませるから、システム機能設定器を信号線に接続しておけば、動作態様および時限時間の組を自由に設定することができる。
【００２８】
請求項５の発明の構成によれば、複数の負荷を一括して制御する際に、個々の負荷ごとに動作態様および時限時間の組を対応付けることができるから、１個のスイッチによって一括して制御される複数の負荷について負荷ごとに異なる動作を行わせることができる。たとえば、トイレの照明負荷と換気扇とを負荷とする場合のように、１個のスイッチによって制御される２つの負荷について、スイッチのオフで照明負荷を消灯させ、一定時間後に換気扇を停止させるという動作が可能になる。
【発明を実施するための最良の形態】
【００２９】
（実施形態１）
本実施形態の要部を図１に示す。図１は図８に示した従来構成と同様の遠隔監視制御システムにおいて、本実施形態の特徴に関する箇所を示した図である。したがって、図８に記載され図１に記載されていない構成については図８に従う。
【００３０】
操作端末器２には、動作態様に対応するコードと時限時間とを動作データとして記憶する動作データ記憶部２１を設けている。ここに、動作データは動作コードを含む上位概念として記載しており、動作コードは動作態様と時限時間との組を区別するラベルとして設定された適宜の符号（実際は１６進数の数値）であり、動作データはラベルを設定しているか否かにかかわらず動作態様と時限時間との組を示している。本実施形態では、ラベルの有無を考慮せず、動作コードを含む概念として動作データを用いる。本実施形態では、伝送ユニット１に動作データを引き渡す際の伝送手順が従来構成とは異なるから、この伝送手順を実行するための動作データ転送部２２を備えている。
【００３１】
従来構成では、操作端末器２のアドレスを伝送ユニット１が取得した後に、伝送ユニット１では伝送信号Ｖｓを１回送信することにより、タイマ動作のための情報（動作コード）を操作端末器２から取得していたが、本実施形態では、同じ操作端末器２に対して伝送信号Ｖｓを２回送信することにより、タイマ動作のための情報を取得する。
【００３２】
そのため、伝送ユニット１には、操作端末器２の要求を監視するための伝送信号Ｖｓを送信した後、同じ操作端末器２に対して動作データの引き渡しを要求するための伝送信号Ｖｓを伝送する動作データ取得部１５が設けられている。動作データ取得部１５では、２回目の伝送信号Ｖｓによって、操作端末器２の動作データ記憶部２１に設定されている動作データを取得する。伝送ユニット１において操作端末器２から取得した動作データは、動作態様と時限時間とを表しているから、伝送ユニット１に設けた信号生成部１４では、操作端末器２から取得した動作データを用い、動作態様に応じて制御端末器３への伝送信号Ｖｓを生成するとともに、動作データの時限時間に従ってタイマ１２を動作させる。
【００３３】
さらに詳しく説明する。操作端末器２の動作データ記憶部２１に格納される動作データは、動作態様として一時オンと遅れオフとの２種類から選択され、時限時間は任意に設定可能になっている。動作態様を表す１ビットを除いた残りの７ビットで時限時間を表すと１２８段階の値を選択することになるから、１秒刻みでは時限時間の設定範囲が狭く、１分刻みでは１分以下の時限時間を表すことができない。
【００３４】
したがって、７ビットのうちの１ビットを分と秒との時間の単位に割り付けるのが望ましい。この場合、残りの６ビットで６３分まで表すことができる。このような形式の動作データを伝送ユニット１に伝送する場合には、伝送ユニット１では、動作態様と時限時間の単位を表す２ビットのビット値について意味を認識する処理が必要であるが、残りの６ビットについては数値をそのまま読み込む処理で対応可能になる。
【００３５】
ただし、従来構成のように１分以下の時限時間と１２０分までの時限時間とを実現しようとすれば、上述の方法では対応することができない。そこで、時限時間について少なくとも従来構成の範囲内での設定を可能とするには、たとえば、５分までは１０秒単位、５分〜３０分は１分単位、３０分〜１２０分までは５分単位などと設定する。この設定であれば、時限時間を実質的に任意に設定しながらも、動作データの内容を８ビットの動作コードで表すことができる。また、動作コードの割り当てが可能な値が残るから、従来構成よりも時限時間の設定範囲を広げることができる。なお、設定例は一例である。
【００３６】
上述したように、実質的に任意の時限時間を設定した場合には、伝送ユニット１には動作データが８ビットの動作コードに割り当てて伝送されることになる。したがって、伝送ユニット１では、従来構成と同様に、操作端末器２から受け取った動作コード（動作データ）をタイマデータ記憶部１３に照合し、動作コードに対応した動作態様および時限時間の組を抽出することが必要である。
【００３７】
上述の構成により、１２８種類の動作コードを用いることができ、従来構成のように８種類の動作コードを用いる場合に比較すれば、時限時間の設定を実質的に任意に行うことが可能になる。
【００３８】
伝送ユニット１と操作端末器２との間の伝送手順を図２に簡単にまとめる。まず、操作端末器２のスイッチＳＷが押操作されると、操作端末器２ではダミーモードの伝送信号Ｖｓのスタートパルスに同期させて割込信号Ｖｉを発生させる。ダミーモードの伝送信号Ｖｓにおいて割込信号Ｖｉを伝送ユニット１が検出すると（Ｐ１）、当該伝送信号ＶｓのモードデータＭＤをアドレス検索モードにする（Ｐ２）。ここで、割込信号Ｖｉを発生した操作端末器２では割込フラグが設定されており、この操作端末器２ではアドレス検索モードの伝送信号Ｖｓを受信すると、この伝送信号Ｖｓの信号返送期間ＷＴにおいてアドレスを返送する（Ｐ３）。
【００３９】
伝送ユニット１では割込信号Ｖｉを発生させた操作端末器２のアドレスを取得することができるから、このアドレスをアドレスデータＡＤとし操作端末器２の要求を監視する伝送信号Ｖｓを信号線Ｌｓに送出する（Ｐ４）。この伝送信号Ｖｓの信号返送期間ＷＴにおいて、操作端末器２ではスイッチＳＷの識別情報（負荷番号）とともに動作データ（動作コード）を通知する要求を返送する（Ｐ５）。
【００４０】
この段階では、動作データないし動作コードは伝送ユニット１には通知されない。ただし、通知要求を示すために、適宜の通知コードを割り当ててあり、通知コードを伝送ユニット１に返送する。実際には４ビットで表される１６種類の情報のうちの２種類を通知コードに割り当てる。たとえば、５ｈ、６ｈを通知コードに割り当てるようにし、各通知コードによって操作端末器２に設けたスイッチＳＷの種類を伝送ユニット１に通知する。スイッチＳＷの種類には、負荷ＬにスイッチＳＷを一対一に対応付けている個別スイッチまたは調光スイッチと、負荷ＬにスイッチＳＷを一対多に対応付けているグループスイッチまたはパターンスイッチとの２種類がある。
【００４１】
操作端末器２から動作データを通知する要求を受け取った伝送ユニット１では、当該操作端末器１を指定して動作データの監視を要求する（Ｐ６）。ここで、２回目の伝送信号Ｖｓの制御コードＣＤを１回目の伝送信号Ｖｓの信号返送期間ＷＴに受け取ったデータとすることにより、１回目の伝送信号Ｖｓと２回目の伝送信号Ｖｓとを区別する。つまり、タイマ動作を要求する操作端末器２では、制御コードＣＤの内容により１回目と２回目との伝送信号Ｖｓを区別するのであって、２回目の伝送信号Ｖｓは前の伝送信号Ｖｓの信号返送期間ＷＴに伝送したデータであるから、操作端末器２が伝送したデータと伝送ユニット１から伝送されたデータとの論理積をとることによって、モードデータＭＤが同じ伝送信号であっても、１回目か２回目かの区別をすることができる。
【００４２】
２回目の伝送信号Ｖｓでは操作端末器２から動作データ（動作コード）を伝送ユニット１に返送し（Ｐ７）、伝送ユニット１では動作データを取得することができる。その後、伝送信号Ｖｓを用いて伝送ユニット１と操作端末器２との間で相互に受信確認を行う（Ｐ８，Ｐ９）。
【００４３】
以上の動作によって、伝送ユニット１では、動作態様と時限時間との組である動作データ（動作コード）とスイッチＳＷの識別情報とを操作端末器２から受け取る。伝送ユニット１では、スイッチＳＷの識別情報を対応データ記憶部１１に照合することによって制御対象である負荷Ｌを抽出し、さらに動作データを必要に応じてタイマデータ記憶部１３と照合し動作態様および時限時間を抽出する。対応データ記憶部１１は、スイッチＳＷと負荷Ｌとを識別情報により対応付けたデータを記憶し、たとえば、実施形態２において説明するシステム機能設定器５を用いることにより、データの内容が書き込まれる。制御対象の負荷Ｌと動作態様と時限時間とが決まれば、以後は従来構成と同様の動作になる。
【００４４】
すなわち、動作態様が一時オンであれば、制御対象の負荷Ｌを接続した制御端末器３にオンの指示を伝送するとともにタイマ１２に時限時間を計時し、時限が終了すれば、オフの指示を当該制御端末器３に伝送する。また、動作態様が遅れオフであれば、タイマ１２による時限時間の計時を開始し、時限が終了すると、制御対象の負荷Ｌを接続した制御端末器３にオフの指示を伝送する。
【００４５】
ところで、操作端末器２の動作データ記憶部２１に格納する動作データは、別に設けた端末機能設定器４を用いてワイヤレス信号により操作端末器２に設定される。したがって、操作端末器２にはワイヤレス信号を受信するワイヤレス受信部２３が設けられている。端末機能設定器４は、操作端末器２に設けたスイッチＳＷによる負荷Ｌの制御態様を対応付けるものであり、負荷Ｌの制御態様としては、スイッチＳＷにより１個の負荷Ｌを制御する個別制御、スイッチＳＷにより複数の負荷Ｌを一括して制御するパターン制御およびグループ制御、負荷Ｌが照明負荷であるときに調光を可能にする調光制御がある。パターン制御は、１個のスイッチＳＷに対応付けた複数の負荷Ｌについてオン、オフの状態を個別に対応付けることができる制御であり、グループ制御は、１個のスイッチＳＷに対応付けた複数の負荷Ｌについてオン、オフの状態を同状態に対応付ける制御である。
【００４６】
端末機能設定器４は、図３に示すように、液晶表示器からなるディスプレイ４１と、スイッチＳＷを接続した操作端末器２のアドレスなどを指定するための数字キー４２と、上述した制御態様を選択する制御選択キー４３と、タイマ動作の動作態様を選択する動作選択キー４４と、カーソルキー４５とを少なくとも備える。負荷番号は数字キー４２により入力することができる。つまり、端末機能設定器４は、操作部として数字キー４２、制御選択キー４３、動作選択キー４４、カーソルキー４５を少なくとも備える。
【００４７】
ディスプレイ４１の画面には、制御態様（個別制御、調光制御、パターン制御、グループ制御の別）と、スイッチＳＷの識別情報（アドレスと負荷番号との組、パターンの識別番号、グループの識別番号のいずれか）と、タイマ動作の場合の動作態様および時限時間の組である動作データとが表示される。
【００４８】
図示する端末機能設定器４では、ディスプレイ４１の画面に４個の識別情報を上下に並べて一覧表示することができる。したがって、１台の操作端末器２に接続可能な４個のスイッチＳＷの動作データを一覧表示することができる。言い換えると、ディスプレイ４１の画面において上下４段に表示される各欄が、操作端末器２の各負荷番号のスイッチＳＷに対応付ける内容に相当する。
【００４９】
従来構成では、設定可能な時限時間の種類が高々５種類と少なかったから、端末機能設定器４には時限時間を選択するために５個の時間選択キーを設けておけばよかったが、本実施形態では、時限時間を実質的に任意に設定するから、数字キーを用いて時限時間を入力する。具体的には、ディスプレイ４１において上下４段のうちの１段を図示しないカーソルキーで選択し、さらにカーソルキー４５で時限時間を設定する欄を選択する。この状態において、数字キーを用いて所望の数値を入力すれば、時限時間を設定することができる。なお、一時オンと遅れオフとの区別は動作選択キー４４により入力し、時間の単位である分と秒とはカーソルキーを用いてディスプレイ４１に表示された単位の欄を選択し動作選択キー４４に付設した単位選択キー（図示せず）を操作すればよい。
【００５０】
ここにおいて、動作データにおける時限時間は、必ずしも連続値ではなく、数字キー４２により入力することができても設定はできない値があるから、設定できない値であれば設定不能であることをディスプレイ４１に示すか、入力値に近い値で設定可能な値に置き換えるのが望ましい。
【００５１】
端末機能設定器４のディスプレイ４１の画面に表示されるスイッチＳＷの識別情報と動作データとが所望の状態になるように操作部を操作し、操作部に設けた送信キー（図示せず）を押操作すれば、ワイヤレス信号が送出され、操作端末器２の動作データ記憶部２１に所望の動作データを書き込むことができる。ここに、ワイヤレス信号が他の操作端末器２に入射することがないように、端末機能設定器４からのワイヤレス信号の送信部と操作端末器２におけるワイヤレス受信部２１とは近接させる必要がある。
【００５２】
端末機能設定器４から操作端末器２に伝送するワイヤレス信号は、従来構成では８種類の動作コードを識別できれば十分であったから、動作データに関しては、従来構成において説明した信号返送期間ＷＴに伝送する４ビットの動作コードと同じデータを用いることができたが、本実施形態では、８ビットの動作データを伝送することが必要である。そこで、端末機能設定器４において新規な機能を設け、８ビットの動作データを操作端末器２に伝送可能とする。
【００５３】
なお、操作端末器２と端末機能設定器４との間でワイヤレス信号を送受する構成を採用すれば、操作端末器２に設けたスイッチＳＷの識別情報や操作端末器２の動作データ記憶部２１に登録された動作データを読み取るように構成することが可能である。この場合、操作端末器２から読み取った識別情報や動作データを用い、これを修正して操作端末器２に書き込むことが可能になる。
【００５４】
（実施形態２）
実施形態１では、時限時間を広い範囲で選択可能としたが、伝送ユニット１が操作端末器２から動作データを取得するために２回の伝送信号Ｖｓを必要としている。本実施形態では、従来構成と同様に、１回の伝送信号Ｖｓで操作端末器２の動作データを取得しながらも、時限時間を使用環境に応じて調節可能な遠隔監視制御システムを提供する。
【００５５】
本実施形態は、伝送ユニット１と操作端末器２との間で伝送される伝送信号Ｖｓは従来構成と同じであって、伝送ユニット１と操作端末器２との基本的な構成は従来構成と同様である。すなわち、図４に示すように、操作端末器２には、負荷Ｌの動作態様および時限時間の組を規定の動作コードに対応付けた動作コード記憶部２１′を備えており、動作コード記憶部２１′に記憶した動作コードをスイッチＳＷの操作時に伝送ユニット１に転送する動作コード転送部２２′を備えている。
【００５６】
また、伝送ユニット１は、操作端末器２の要求を監視するための伝送信号Ｖｓを送信することにより、操作されたスイッチＳＷの負荷番号（識別情報）と当該スイッチＳＷに対応付けた動作コードとを受け取るようになっている。伝送ユニット１には、スイッチＳＷと負荷Ｌとを識別情報（アドレスと負荷番号）とにより対応付けた対応データ記憶部１１が設けられ、動作コードを動作態様および時限時間の組に対応付けたタイマデータ記憶部１３が設けられる。
【００５７】
また、伝送ユニット１は、操作端末器２から取得した動作コードをタイマデータ記憶部１３に照合することにより求められる動作態様および時限時間に従う内容の伝送信号を生成する信号生成部１４を備える。すなわち、操作端末器２から取得した動作コードに対応する動作態様および時限時間が求まれば、伝送ユニット１に設けた信号生成部１４では、動作態様に応じて制御端末器３への伝送信号Ｖｓを生成するとともに、動作データの時限時間に従ってタイマ１２を動作させる。ただし、本実施形態では、動作データ取得部１５は不要である。
【００５８】
ところで、従来構成では、伝送ユニット１に設けたタイマデータ記憶部１３は書換ができず、動作態様および時限時間の組と動作コードとの対応関係が固定的に設定されていたのに対して、本実施形態では、タイマデータ記憶部１３が書換可能であって、タイマデータ記憶部１３において動作態様および時限時間の組と動作コードとの対応関係が変更可能である点に特徴がある。伝送ユニット１にはタイマデータ記憶部１３の内容を書き替えるためのタイマデータ書換部１６が設けられている。
【００５９】
タイマデータ書換部１６は、信号線Ｌｓに接続されたシステム機能設定器５との間で情報を送受することができ、システム機能設定器５から受け取った情報をタイマデータ記憶部１３に上書きして格納する機能を備える。システム機能設定器５は、基本的には、伝送ユニット１に設けた対応データ記憶部１１とタイマデータ記憶部１３との内容を設定する機能を有している。
【００６０】
システム機能設定器５は、主として、スイッチＳＷに対して複数個の負荷Ｌを対応付ける際に、当該スイッチＳＷにどの負荷Ｌを対応付けるかを指示するために用いられる。つまり、パターン制御あるいはグループ制御の際のスイッチＳＷと負荷Ｌとの対応付けを行う。この種のシステム機能設定器５と同様の技術は、特開２０００−３５８２８７号公報に記載されている。
【００６１】
本実施形態で用いるシステム機能設定器５は、図５に示すように、液晶表示器を用いた表示部５１と、押釦スイッチからなる操作部５２とを備え、表示部５１の画面の表示に従って操作部５２を操作することによりスイッチＳＷと負荷Ｌとを対応付けることができるものである。システム機能設定器５は、実施形態１において説明した端末機能設定器４と同様の形状を有しているが、端末機能設定器４は数字キー４２を備えていたのに対して、システム機能設定器５ではカーソルキー５３と切替キー５４を用いている。
【００６２】
スイッチＳＷと負荷Ｌとを対応付けたデータは、システム機能設定器５が内蔵する記憶部に格納された後、伝送ユニット１に転送される。伝送ユニット１に転送するにあたっては、転送すべきデータを複数に分割し、スイッチＳＷの操作から負荷Ｌの制御までに要する時間を除く空き時間において分割した各データを伝送する。データを分割し空き時間に転送する技術は特開平１１−６９４６８号公報に記載されている。
【００６３】
本実施形態では、システム機能設定器５において、スイッチＳＷと負荷Ｌとの対応付けだけではなく、伝送ユニット１のタイマデータ記憶部１３に登録するデータも設定可能にしている。従来技術として説明したように、タイマデータ記憶部１３には８種類の動作コードを登録することができるから、各動作コードに対応付ける動作態様と時限時間の組をシステム機能設定器５において設定し、この情報を上述した技術によって伝送ユニット１に転送すれば、タイマデータ記憶部１３の内容を変更することが可能になる。
【００６４】
この種のシステム機能設定器５は、メニュー方式によって機能を選択するものであり、たとえば、「特別」キー５５の操作により選択される「特別モード」というメニューの下位に伝送ユニット１の動作を指示する「伝送ユニット」という項目を設け、「伝送ユニット」の下位に、上述したパターン制御やグループ制御のための設定を行う項目を設けておく。この項目を選択すれば、伝送ユニット対応データ記憶部１１に格納されたデータを読み出して表示部５１に表示する機能や、伝送ユニット１の対応データ記憶部１１に格納されたデータとシステム機能設定器５の記憶部に格納されたデータとを照合する機能が選択可能になる。そこで、「伝送ユニット」の下位に、タイマデータ記憶部１３への読み書きを可能にする項目も併せて設けておけば、対応データ記憶部１１に対するデータの設定と同様に、タイマデータ記憶部１３に対するデータの設定が可能になる。
【００６５】
たとえば、図６（ａ）に示すように、「特別」キー５５を操作して「特別モード」を選択すると、表示部５１の画面に「伝送ユニット」の項目が表示され、「伝送ユニット」の項目の選択肢である下位項目をカーソルキー５３で選択し、「タイマ時間」の文字が表示されたときに実行キー５６を操作することで、伝送ユニット１のタイマデータ記憶部１３の登録内容を読み込むという動作が可能になる。読み込まれたデータは、図６（ｂ）のように表示部５１の画面に表示される。表示部５１の画面には上下４段で左右２列で表示がなされ、８種類の動作コード（１〜８の数値）に対応する動作態様（「一時」と「遅れ」）および時限時間の組が表示される。
【００６６】
図６（ｂ）に示す状態でカーソルキー５３を操作し、所望の項目を反転表示させ（斜線で反転を表している）、当該項目の内容を切替キー５４によって選択すれば、各動作コードに対応付ける動作態様および時限時間の組を変更することができる。その後、設定キー５７を長押しすることにより、設定したデータを伝送ユニット１に伝送してタイマデータ記憶部１３に登録させる。
【００６７】
上述の動作を行うシステム機能設定器５を用いることによって、たとえば、８種類の動作コードに対して、表１の左右の欄のように動作態様と時限時間との組の組み合わせを変更することが可能になり、動作態様と時限時間との組を使用環境に合わせて設定することが可能になる。
【００６８】
【表１】
2008109518.tif 000003
【００６９】
本実施形態の構成では、システム機能設定器５において動作コードと動作態様および時限時間の組の変更を可能にする機能を付加するとともに、伝送ユニット１のタイマデータ記憶部１３の内容を書換可能にするだけの簡単な変更で実現することができ、操作端末器２や制御端末器３にはなんら変更を要さない。なお、本実施形態の構成では、端末機能設定器４で操作端末器２に設定する動作コードの内容と、伝送ユニット１における動作コードの内容とが異なる場合があるが、タイマデータ記憶部１３の内容を変更する際に動作コードとの対応表を作成しておけばよい。
【００７０】
（実施形態３）
本実施形態は、グループ制御においてタイマ動作を行うとともに、グループ制御の対象である複数の負荷Ｌについてタイマ動作は個々に設定できるようにしたものである。ここに、パターン制御では、制御対象である複数の負荷Ｌのオン、オフが個別に制御されるから、１つのスイッチＳＷの操作によって１つの負荷Ｌのオンとオフとを切り替えることができない。したがって、トイレにおいて照明負荷と換気扇とを負荷Ｌとするような場合に、１個のスイッチＳＷにより両方の負荷Ｌをオン、オフさせるには、グループ制御を選択することになる。ただし、従来のグループ制御においては、タイマ動作を個別に設定することができず、たとえば、負荷Ｌのオフ時に照明負荷はただちに消灯させながらも換気扇は一定時間後にオフにするという制御はグループ制御では設定できなかった。
【００７１】
本実施形態では、伝送ユニット１の対応データ記憶部１１において、グループ制御の制御対象となる各負荷Ｌごとに動作コードを設定可能とする領域を設けている。つまり、１個のスイッチＳＷで制御される複数の負荷Ｌについて個々に動作コード（つまり、動作態様と時限時間との組）を設定可能としている。各負荷Ｌの制御に際しては、信号生成部１４が各負荷Ｌの動作コードをタイマデータ記憶部１３に照合し、タイマデータ記憶部１３から抽出した動作態様および時限時間に従う内容の伝送信号Ｖｓを生成する。
【００７２】
たとえば、上述したように照明負荷についてはタイマ動作を行わず、換気扇については遅れオフを行い、その時限時間を３０秒とする場合には、スイッチＳＷに負荷Ｌとしての照明負荷と換気扇とを対応付けておき、さらに、換気扇に対して遅れ３０秒の動作コードを対応付けて対応データ記憶部１１に格納しておく。当該スイッチＳＷの識別情報を伝送ユニット１が受け取ったときに、オンが指示されているときには（つまり、負荷ＬがオフであるときにスイッチＳＷが押操作された場合）、照明負荷と換気扇とをともにオンにする。一方、スイッチＳＷの識別情報を伝送ユニット１が受け取ったときに、オフが指示されているときには、照明負荷はタイマ動作が指示されていないからただちにオフにし、換気扇については遅れ３０秒がタイマ動作として指定されているから、タイマ１２により３０秒間の時限を行った後に換気扇をオフにすることができる。
【００７３】
上述のようにグループ制御において個々の負荷Ｌのタイマ動作を指定可能とするには、システム機能設定器５においてもタイマ動作を指定可能とする機能を付加しなければならない。そこで、図７（ａ）に示すように、グループ制御の設定画面において、グループ番号が「Ｇ１」であるスイッチＳＷに、識別情報（アドレスと負荷番号の組）が「０−１」「０−２」（ハイフンの左がアドレス、右が負荷番号）である負荷Ｌを対応付ける。この画面においてタイマ動作の項目を設けておき（「タイマー」）、カーソルキー５３で項目を選択できるようにする。項目を選択した後は、切替キー５４により動作態様および時限時間の組を選択する。ここに、図７（ａ）においては、動作態様および時限時間の組を８種類の動作コードのいずれかに対応付けてあり、実施形態２と同様に、８種類のタイマ動作が選択可能になっている。したがって、実施形態２のように、タイマデータ記憶部１３の内容を書換可能にすることにより、タイマ動作における時限時間を任意に設定することが可能になる。
【００７４】
一方、実施形態１と同様に、動作態様および時限時間の組を８ビットで表せば、時限時間の選択肢がより多くなるから、時限時間を実質的に任意に設定することが可能になる。この場合、図７（ｂ）のように、タイマ動作の項目において、動作態様と時限時間とを個別に選択可能とし、時限時間については切替キー５４の操作により循環的に数値が変化するようにしておけば、任意の時限時間を設定することが可能になる。
【００７５】
他の構成および動作は実施形態１，２と同様である。
【図面の簡単な説明】
【００７６】
【図１】実施形態１の要部を示すブロック図である。
【図２】同上の動作説明図である。
【図３】同上に用いる端末機能設定器を示す正面図である。
【図４】実施形態２の要部を示すブロック図である。
【図５】同上に用いるシステム機能設定器を示す正面図である。
【図６】図５に示したシステム機能設定器の動作例を示す図である。
【図７】図５に示したシステム機能設定器の動作例を示す図である。
【図８】遠隔監視制御システムの概略構成図である。
【図９】同上の動作説明図である。
【図１０】従来構成の動作説明図である。
【符号の説明】
【００７７】
１  伝送ユニット
２  操作端末器
３  制御端末器
４  端末機能設定器
５  システム機能設定器
１１  対応データ記憶部
１２  タイマ
１３  タイマデータ記憶部
１４  信号生成部
１５  動作データ取得部
２３  ワイヤレス受信部
２１  動作データ記憶部
２１′動作コード記憶部
２２  動作データ転送部
２２′動作コード転送部
４２  数字キー
４４  動作選択キー
５２  操作部
Ｌ  負荷
Ｌｓ  信号線
ＳＷ  スイッチ
【図１】
2008109518.tif 000004
【図２】
2008109518.tif 000005
【図３】
2008109518.tif 000006
【図４】
2008109518.tif 000007
【図５】
2008109518.tif 000008
【図６】
2008109518.tif 000009
【図７】
2008109518.tif 000010
【図８】
2008109518.tif 000011
【図９】
2008109518.tif 000012
【図１０】
2008109518.tif 000013